【事件の表示】
　特願２００６−　５５２０９「住宅設備監視制御システム」拒絶査定不服審判事件〔平成１９年　９月１３日出願公開，特開２００７−２３３７３４〕について，次のとおり審決する。
【結　論】
　本件審判の請求は，成り立たない。
【理　由】
１．手続の経緯・本願の発明　
　本願は，平成１８年　３月　１日の特許出願であって，平成２３年　４月１５日付けで拒絶査定がなされ，この査定を不服として，同年　７月１２日に本件審判請求がなされた。　
　そして，この出願の請求項１に係る発明（以下「本願発明」という。）は，平成２２年１２月　６日に提出された手続補正書により補正された特許請求の範囲の請求項１に記載された事項により特定される次のとおりものと認められる。　
　
「【請求項１】　
　住宅内に設置されたコントローラが住宅設備の制御並びに監視を行う複数のサブシステムと，各サブシステムのコントローラと伝送路を介して接続される統合管理装置と，該統合管理装置に伝送路を介して接続される複数の端末装置と，監視領域を撮像する撮像装置とが汎用の通信プロトコルを利用した宅内ネットワークを構成し，前記住宅から離れた遠隔地に設置され前記宅内ネットワークと異なる外部ネットワークを通じて前記宅内ネットワークと接続されるセンタ装置と，当該センタ装置との間でデータ通信を行う携帯型の端末装置とを備え，　
　前記端末装置から前記宅内ネットワーク若しくは外部ネットワークを通じて伝送される要求メッセージに基づいて前記各サブシステムのコントローラが住宅設備の制御並びに監視を行うとともに当該制御又は監視の結果を示す応答メッセージが当該コントローラから前記端末装置に対して前記宅内ネットワーク若しくは外部ネットワークを通じて伝送され，且つ前記撮像装置で撮像された画像が前記端末装置に対して前記宅内ネットワーク若しくは外部ネットワークを通じて伝送されてなり，　
　前記コントローラは，他のサブシステムのコントローラから前記宅内ネットワークを通じて伝送される前記応答メッセージに応じて，自己の配下にある住宅設備のうちで予め決められた住宅設備の制御又は監視を行うものであって，　
　前記撮像装置は，自ら撮像した画像を前記宅内ネットワーク経由で配信するウェブサーバ機能を有し，　
　前記サブシステムには，住宅内における異常発生を検知する１乃至複数種類のセキュリティ機器と，各セキュリティ機器の検知情報を収集するとともに所定の異常発生に関する検知情報を受け取ったときに警報音を鳴動する受信器と，当該受信器より前記検知情報を受け取るとともに受け取った当該検知情報を前記応答メッセージにより前記宅内ネットワークを通じて伝送する前記コントローラとで構成されるセキュリティシステムを含むとともに，住戸外に設置されるカメラ付きドアホン子器と，住戸内に設置されて前記カメラ付きドアホン子器との間で通話する機能並びに当該カメラ付きドアホン子器で撮像された画像を表示する機能を有するインターホン親機と，当該インターホン親機より前記カメラ付きドアホン子器で撮像された画像を受け取るとともに受け取った当該画像を前記外部ネットワークを通じてセンタ装置に伝送する前記コントローラとで構成されるインターホンシステムを含み，　
　前記センタ装置は，外部ネットワークを通じて前記インターホンシステムのコントローラから受け取った前記画像を記録し，　
　前記宅内ネットワーク若しくは外部ネットワークを通じてデータ通信を行う通信手段と，住宅設備の制御並びに監視の要求を受け付けるとともに前記センタ装置に対する前記画像の伝送要求を受け付ける要求受付手段と，該要求受付手段が受け付けた制御要求や監視要求や伝送要求に基づいて要求メッセージを作成し且つ当該要求メッセージを前記通信手段より前記宅内ネットワーク若しくは外部ネットワークを通じて伝送させるとともに前記通信手段で受け取った前記応答メッセージから住宅設備の制御や監視の結果を示す情報又は前記センタ装置が記録している前記画像若しくは前記撮像装置から配信される画像を取得する制御手段と，該制御手段が取得した前記情報を報知する報知手段と，前記通信手段で受け取った前記画像を表示する表示手段とを具備した前記端末装置を備え，　
　前記セキュリティシステムのコントローラは，外部ネットワークを通じて前記端末装置から伝送される要求メッセージに応じて前記受信器に警報音を鳴動させることを特徴とする住宅設備監視制御システム。」　
　
２．引用例とその記載事項　
　原査定の拒絶の理由で引用された特開２００２−２２２１２６号公報（以下，「引用例１」という。）には，「ホームネットワーク」に関し，図面とともに次の事項が記載又は示されている。　
　
・「【０００１】　
【発明の属する技術分野】本発明は，エアコン，白物家電（冷蔵庫，エアコンなど）や設備機器（給湯器，人体検知センサ，温度センサ，電気錠など）からなるシステムを対象としたホームネットワークに関するものである。」
　
・「【０００７】　
【発明が解決しようとする課題】ところが，図６に示すように，上記のような各種の機器を総合的にネットワーク化し，１つのホームネットワーク・表示／制御ターミナル１からそのすべての機器を表示／制御できるようにすると，以下の不具合がある。すなわち，その各種の機器の仕様に応じた独自の各インタフェース８，１３，１６と，その各種の機器の表示／制御用のソフトウェアとを，各種のネットワーク２〜４の個数分だけ用意する必要がある。　
【０００８】また，ホームネットワーク・表示／制御ターミナル１には，接続される各ネットワーク２〜４をすべて表示／制御できる統合的なソフトウェアを用意する必要がある。そのためにターミナルの高性能が要求され，その価格も高くなる。さらに，ホームネットワーク・表示／制御ターミナル１に将来的に新たな宅内ネットワークを追加するといった場合にその追加が難しく，その結果，ホームネットワークに拡張性を持たせることができないという不都合がある。　
【０００９】その一方，ホームネットワークに拡張性を持たせることに加え，種類の異なるネットワーク同士の連携動作を行えるようにすることが望まれる。そこで，本発明の第１の目的は，上記の点に鑑み，設備系ネットワークの追加や削除が容易に行えるようにしたホームネットワークを提供することにある。また，本発明の第２の目的は，設備系ネットワークの追加や削除が容易に行える上に，種類の異なるネットワーク同士の連携動作を行えるようにしたホームネットワークを提供することにある。」　
　
・「【００１４】このため，請求項１〜請求項３に記載の各発明によれば，設備系ネットワークの追加や削除が容易に行え，従来に比べてネットワークの拡張性や柔軟性を有するようになる。本発明の第２の目的を達成するために，請求項４〜請求項７に記載の各発明は以下のように構成した。　
【００１５】すなわち，請求項４に記載の発明は，インタフェースを含み家庭内に分散配置させた設備系の複数のネットワークと，前記ネットワーク同士を連携動作させる宅内統合制御装置と，前記各インタフェースおよび前記宅内統合制御装置との間で通信を行う表示／制御ターミナルとを含み，前記各インタフェースおよび前記宅内統合制御装置と，前記表示／制御ターミナルとの間の通信手順を統一化するとともに，前記宅内統合制御装置は，前記連携動作の際に，各インタフェースと通信ができるようになっており，前記各インタフェースのうちの所定のインタフェースから所定の通知を受け取った場合には，そのうちの他の所定のインタフェースに対して所定の指示を通知するようになっていることを特徴とするものである。　
【００１６】請求項５に記載の発明は，インタフェースを含み家庭内に分散配置させた設備系の複数のネットワークと，前記ネットワーク同士を連携動作させる宅内統合制御装置と，前記各インタフェースおよび前記宅内統合制御装置との間で通信を行う表示／制御ターミナルとを含み，前記各インタフェースは，自己が管理するネットワークの状態を表示または制御するためのホームページを作成するとともに，この作成ホームページを配信できるようになっており，前記宅内統合制御装置は，前記連携動作に係るホームページを作成するとともに，この作成ホームページを配信できるようになっており，前記表示／制御ターミナルは，前記各インタフェースから前記ホームページを受信して表示し，その表示に基づいて前記各インタフェースの各ネットワークの制御の指示ができるとともに，前記宅内統合制御装置から前記ホームページを受信して表示できるようになっており，かつ，前記宅内統合制御装置は，前記連携動作の際に，各インタフェースと通信ができるようになっており，前記各インタフェースのうちの所定のインタフェースから所定の通知を受け取った場合には，そのうちの他の所定のインタフェースに対して所定の指示を通知するようになっていることを特徴とするものである。　
【００１７】請求項６に記載の発明は，請求項５に記載のホームネットワークにおいて，電子メールを送信可能なインターネット・ゲートウェイをさらに含み，前記インターネット・ゲートウェイは，前記宅内統合制御装置から所定の電子メールを送信すべき指示があったときには，その指示に基づいて前記電子メールを送信するようになっていることを特徴とするものである。
【００１８】請求項７に記載の発明は，請求項５または請求項６に記載のホームネットワークにおいて，前記宅内統合制御装置は，前記各インタフェースのうちの所定のインタフェースから宅内の安全を害する情報を受け取った場合には，そのうちの他の所定のインタフェースに対して宅内の安全を害する状態を解消すべき指示を通知するとともに，前記インターネット・ゲートウェイに対して宅内の安全が害されている旨の電子メールを送信すべき指示をするようになっていることを特徴とするものである。　
【００１９】このように請求項４〜請求項７に記載の各発明では，各インタフェースおよび宅内統合制御装置と，表示／制御ターミナルとの間の通信手順を統一化するとともに，宅内統合制御装置は，連携動作の際に，各インタフェースと通信して宅内の安全性などを確保するための各種の処理を行うようになっている。そして，その通信手順の統一化を図るために，各インタフェースは，自己が管理するネットワークの状態を表示または制御するためのホームページを作成するとともに，この作成ホームページを配信できるＷｅｂサーバの機能を持つとともに，宅内統合制御装置は，連携動作に係るホームページを作成するとともに，この作成ホームページを配信できるＷｅｂサーバの機能を持つようした。　
【００２０】また，表示／制御ターミナルは，各インタフェースからホームページを受信して表示し，その表示に基づいて各インタフェースの各ネットワークの制御の指示ができるとともに，宅内統合制御装置からホームページを受信して表示できるＷｅｂブラウザの機能を持つようにした。このため，請求項４〜請求項７に記載の各発明によれば，設備系ネットワークの追加や削除が容易に行え，従来に比べてネットワークの拡張性や柔軟性を有するとともに，種類の異なるネットワーク同士の連携動作などにより宅内の安全性の確保の向上などを図ることができる。　
【００２１】さらに，請求項６および請求項７に記載の発明では，電子メールを送信可能なインターネット・ゲートウェイを含んでいるので，宅内の安全性が害されるような場合にはその旨を電子メールで送信することができる。このため，その電子メールを携帯電話で受信して読むことが可能となる。」　
　
・「【００２５】上記の各ネットワーク２２〜２４の各インタフェース２７〜２９は，それぞれＷｅｂサーバとしての機能を備えている。このため，各インタフェース２７〜２９は，その各インタフェース２７〜２９が管理しているネットワーク２２〜２４の状態を表示したり制御するためのホームページを作成するとともに，ホームネットワーク・表示／制御ターミナル２１からアクセスがあると，その作製したホームページを配信できるようになっている。また，各インタフェース２７〜２９は，それぞれ通信に必要な固有のインターネット・パケット・アドレス（ＵＲＬ）を持っている。　
【００２６】ホームネットワーク・表示／制御ターミナル２１は，宅内の各種のネットワーク２２〜２４に対して１種類のＬＡＮインタフェースとホームページを表示できるＷｅｂブラウザの機能を備えている。このため，ホームネットワーク・表示／制御ターミナル２１は，宅内の各種のネットワーク２２〜２４に対応したインターネット・パケット・アドレスを指示するだけで，その各ネットワーク２２〜２４ごとのホームページを表示するとともに，各ネットワーク２２〜２４の状態表示や状態制御をそのホームページを通して行うことができるようになっている。　
【００２７】次に，図１に示す宅内セキュリティ・インタフェース２７の具体的な構成について，図２を参照して説明する。宅内セキュリティ・インタフェース２７は，図２に示すように，各種のデータ処理などを行うマイクロプロセッサ３１と，ホームネットワーク・表示／制御ターミナル２１と通信を行うための入出力インタフェース３２と，戸締りセンサ７と電気的に接続するための入力インタフェース３３と，マイクロプロセッサ３１がデータの処理を行う場合などにデータを一時的に格納するＲＡＭ３４，マイクロプロセッサ３１が後述のようなデータ処理などを行う場合の手順を予め格納するＲＯＭ３５とを少なくとも備えている。」　
　
・「【００３３】この結果，ホームネットワーク・表示／制御ターミナル２１は，宅内セキュリティ・インタフェース２７からＨＴＭＬファイルを受け取り，その内容を解釈することにより，その内容の表示などを行う。なお，上記では，宅内セキュリティ・インタフェース２７について詳述したが，電力モニタコントロール・インタフェース２８や給湯制御インタフェース２９の場合には，その作成されるホームページの内容が異なる点を除けば，その基本的な構成は図２に示すようになる。　
【００３４】以上説明したように，この第１実施形態では，ホームネットワーク・表示／制御ターミナル２１に接続される各種のネットワーク２２〜２４を管理する各インタフェース２７〜２９に対してＷｅｂサーバの機能を持たせ，その各ネットワーク２２〜２４の状態表示や制御をその各インタフェースが提供するホームページを通して行うようにした。　
【００３５】このため，第１実施形態によれば，ホームネットワーク・表示／制御ターミナル２１は，唯一のＬＡＮインタフェースとＷｅｂブラウザの機能を備えるだけで各種の機器ネットワークと接続できる上に，将来の新たな宅内の設備系のネットワークの追加を保証することができる。このため，第１実施形態は，ネットワークの拡張性と柔軟性に富むといえる。」　
　
・「【００３６】次に，本発明のホームネットワークの第２実施形態の構成について，図４を参照して説明する。この第２実施形態に係るホームネットワークは，第１実施形態と同様に宅内の新たな設備系のネットワークの追加を保証できる上に，異なった設備系のネットワーク同士の連携動作を行えるとともに，宅外の携帯電話とのネットワーク化を図るようにしたものである。　
【００３７】そこで，この第２実施形態に係るホームネットワークは，図４に示すように，ホームネットワーク・表示／制御ターミナル３１と，宅内セキュリティ・ネットワーク３２と，電力モニタコントロール・ネットワーク３３と，宅内統合制御装置３４と，インターネット・ゲートウェイ３５とを含み，これらがバス４０を介して接続されてネットワークを形成するようになっている。　
【００３８】また，インターネット・ゲートウェイ３５は，インターネット・サービス・プロバイダ５を介してインターネット６に接続されるようになっている。さらに，インターネット６は，携帯電話３９と通信する基地局３６に接続されている。ここで，ネットワーク３２，３３は，家庭内にそれぞれ配置された設備系ネットワークであり，図示のように分散配置されている。　
【００３９】宅内セキュリティ・ネットワーク３２は，例えば，戸締りセンサ７と，その戸締りセンサ７からの戸締りの状況を収集するための宅内セキュリティ・インタフェース３７とからなっている。電力モニタコントロール・ネットワーク３３は，エアコン９，冷蔵庫１０，照明１１などのモニタリングや制御を電灯線１２を使用して行うものであり，電力モニタコントロール・インタフェース３８を含んでいる。　
【００４０】宅内統合制御装置３４は，異なった設備系のネットワーク同士の連携動作を行うためのものであり，例えば，宅内セキュリティ・ネットワーク３２の状態の異常通知を宅内セキュリティ・インタフェース２７から受け取ると，電力モニタコントロール・ネットワーク３３に接続される白物家電が所定の動作をするように，電力モニタコントロール・インタフェース２８に対して指示を行う。　
【００４１】上記の宅内のネットワーク３２，３３のインタフェース３７，３８は，それぞれＷｅｂサーバとしての機能を備えるとともに，ＣＧＩ（Ｃｏｍｍｏｎ  Ｇａｔｅｗａｙ  Ｉｎｔｅｒｆａｃｅ）としての機能を備えている。また，宅内統合制御装置３４も，上記の両機能を備えている。このため，各インタフェース３７，３８は，その各インタフェース３７，３８が管理しているネットワーク３２，３３の状態を表示したり制御するための所定のホームページを作成するとともに，ホームネットワーク表示／制御ターミナル３１からアクセスがあると，その作成したホームページを配信できるようになっている。同様に，宅内統合制御装置３４は，所定のホームページを作成するとともに，その作成したホームページをアクセスに応じて配信できるようになっている。　
【００４２】また，各インタフェース３７，３８は，連携動作時に，宅内統合制御装置３４との間で所定の通信を行うようになっている。さらに，各インタフェース３７，３８と宅内統合制御装置３４は，それぞれ通信に必要な固有のインターネット・パケット・アドレスを持っている。ホームネットワーク表示／制御ターミナル３１は，各インタフェース３７，３８および宅内統合制御装置３４がそれぞれ配信するホームページを受け取って表示できるＷｅｂブラウザの機能を備えている。　
【００４３】このため，ホームネットワーク・表示／制御ターミナル３１は，例えば，宅内の各種のネットワーク３２，３３に対応したインターネット・パケット・アドレスを指示するだけで，その各ネットワーク３２，３３ごとのホームページを表示するとともに，各ネットワーク３２，３３の状態表示や状態制御をそのホームページを通して行うことができる。　
【００４４】次に，このような構成からなる第２実施形態に係るホームネットワークにおいて，異なった宅内のネットワーク同士が連携動作する場合の具体例について説明する。この連携動作は，宅内セキュリティ・ネットワーク３２，電力モニタコントロール・ネットワーク３３，宅内統合制御装置３４，および携帯電話３９が連携的に動作する場合であり，以下にその概要を説明する。　
【００４５】すなわち，家人が外出時に宅内セキュリティ・ネットワーク３２を外出モードにしている間に，その外出モードを解除することなく戸や窓が開けられて泥棒の侵入の可能性がある場合に，宅内統合制御装置３４は電力モニタコントロール・ネットワーク３３と連携して宅内の照明を点灯させたりテレビのスイッチを入れたりして泥棒を追い払う。これと同時に，宅内統合制御装置３４は，インターネット・ゲートウェイ３５と連携し，家人の携帯電話（ｉモード）に外出モード時に泥棒の侵入の可能性があることを電子メール（Ｅメール）の送付により通知する。　
【００４６】次に，以上のように説明した連携動作の詳細について，図５のフローチャートを参照して説明する。まず，家人が外出するときには，宅内セキュリティ・インタフェース３７から提供（配信）される宅内セキュリティ・ネットワーク２２のホームページ（全体ページの一部のフレーム）をホームネットワーク・表示／制御ターミナル３１の表示画面に表示し，そのホームページ上のボタンを家人がクリックすることにより，宅内セキュリティ・ネットワーク３２に対して外出モードを設定する（ステップＳ１１）。　
【００４７】宅内セキュリティ・インタフェース３７は，上記のように，Ｗｅｂサーバの機能と同時ＣＧＩ機能も備えている。このため，ホームネットワーク・表示／制御ターミナル３１の表示画面上で上記の外出モードの設定があると，その設定がバス４０を介して宅内セキュリティ・インタフェース３７に通知される。宅内セキュリティ・インタフェース３７は，その「外出モード」の設定の有無を判定する（ステップＳ１２）。　
【００４８】この判定の結果，「外出モード」の設定がありと判定された場合には，インタフェース３７は，自己が持っているＣＧＩ機能により，管理下の宅内セキュリティ・ネットワーク３２に対して外出モードを指示すると同時に（ステップＳ１３），宅内統合制御装置３４に対しても宅内セキュリティ・ネットワーク３２が，現在「外出モード」に設定されたことを通知する（ステップＳ１４）。　
【００４９】宅内セキュリティ・インタフェース３７は，戸締りセンサ７からの検出信号に基づき，戸や窓が開いたか否かの判定を行う（ステップＳ１５）。この判定の結果，戸や窓が開いたと判定された場合には，インタフェース３７は，ＣＧＩ機能により戸や窓が開けられたことを宅内統合制御装置３４に通知する（ステップＳ１６）。　
【００５０】宅内統合制御装置３４は，現在の宅内セキュリティ・ネットワーク３２の状態が外出モードであること，その外出モードにおいて戸や窓が開けられたことなどの状況から泥棒の侵入の可能性があることを認識する（ステップＳ１７）。次に，宅内統合制御装置３４は，泥棒の侵入の可能性がある旨の所定のホームページを作成し，このホームページをホームネットワーク・表示／制御ターミナル３１に提供する。このため，ホームネットワーク・表示／制御ターミナル３１の表示画面に表示される全体のホームページに泥棒の侵入の可能性を表示する（ステップＳ１８）。　
【００５１】これと同時に，宅内統合制御装置３４は，電力モニタコントロール・インタフェース３８に対して次の指示を行う。すなわち，インタフェース３８の管理下にある電力モニタコントロール・ネットワーク３３に接続されている照明１１を点灯すると同時に，テレビの電源をオンにする指示を行う（ステップＳ１９）。さらに，宅内統合制御装置３４は，インターネット・ゲートウェイ３５に対して，泥棒侵入の可能性を知らせる電子メールを送信すべきことを通知する（ステップＳ２０）。　
【００５２】インターネット・ゲートウェイ３５は，その通知に基づき，泥棒侵入の可能性を知らせる電子メールを，予めインターネット・ゲートウェイ３５に登録されている電子メールアドレスを有する家人の携帯電話３９のに向けて送信する（ステップＳ２１）。この結果，外出中の家人は，ｉモードなどによるプッシュ型の携帯電話３９の電子メール受信機能により泥棒侵入の可能性を知ることができる。」　
　
・「【００５３】次に，異なった宅内のネットワーク同士が連携動作する場合について，上記以外の具体例の概要について以下に説明する。宅内セキュリティ・インタフェース３７は，宅内セキュリティ・ネットワーク３２に接続される人体検知センサ（図示せず）の検知信号に基づき，人がいない部屋を検出した場合には，その部屋が無人であることを宅内統合制御装置３４に対してその旨を通知する。宅内統合制御装置３４は，電力モニタコントロール・インタフェース３８に対して，電力モニタコントロール・インタフェース３８の管理下にあるエアコン９の運転を省エネルギー・モードや停止するように指示する。これにより，電力モニタコントロール・インタフェース３８は，その指示のようにエアコン９の運転を制御する。　
【００５４】以上のように，この第２実施形態では，各インタフェース３７，３８は，ホームページを作成するとともに，この作成ホームページを配信できるＷｅｂサーバの機能を持つとともに，宅内統合制御装置３４は，連携動作に係るホームページを作成するとともに，この作成ホームページを配信できるＷｅｂサーバの機能を持つようした。　
【００５５】また，ホームネットワーク・表示／制御ターミナル３１は，各インタフェース３７，３８からホームページを受信して表示できるとともに，宅内統合制御装置３４からホームページを受信して表示できるＷｅｂブラウザの機能を持つようにした。さらに，宅内統合制御装置３４は，ネットワーク３２，３３同士が連携動作する際に，例えば，各インタフェース３７，３８と通信して宅内の安全性などを確保するための各種の処理を行うようになっている。
【００５６】このため，第２実施形態によれば，設備系ネットワークの追加や削除が容易に行え，従来に比べてネットワークの拡張性や柔軟性を有するとともに，種類の異なるネットワーク同士の連携動作などにより宅内の安全性の確保の向上などを図ることができる。さらにまた，この第２実施形態では，電子メールを送信可能なインターネット・ゲートウェイ３５を含んでいるので，宅内の安全性が害されるような場合にはその旨を電子メールで送信することができる。このため，その電子メールを携帯電話で受信して読むことが可能となる。」　
　
・第２実施形態の宅内セキュリティ・ネットワーク３２の宅内セキュリティ・インタフェース３７及び電力モニタコントロール・ネットワーク３３の電力モニタコントロール・インタフェース３８は，段落【００４１】に記載されるように，Ｗｅｂサーバ機能とＣＧＩ機能を備えており，また，段落【００４７】〜【００５１】，【００５３】の記載からみて，第１実施形態の段落【００２７】，【００３３】に記載される宅内セキュリティ・インタフェース２７及び電力モニタコントロール・インタフェース２８と同様にマイクロプロセッサ（コントローラ）を有することは明らかである。　
　
・段落【００３７】，【００３８】の記載からみて，図４には，「設備系ネットワーク３２，３３と宅内統合制御装置３４とホームネットワーク・表示／制御ターミナル３１とがバス４０を介して接続される宅内ネットワークを形成していること」が示されている。　
　
・段落【００３８】の記載及び図４からみて，「宅内から離れた遠隔地に設置され宅内ネットワークと異なるインターネット６を通じて宅内ネットワークと接続される基地局３６と，当該基地局３６との間でデータ通信を行う携帯電話３９」が存在すること，及び，「携帯電話３９がインターネットを通じてデータ通信を行う通信手段を有すること」は明らかである。　
　
・段落【００４８】〜【００５１】の記載からみて，外出モード時に，宅内セキュリティ・インターフェース３７は，戸や窓が開いたことを検知すると，その旨を宅内統合制御装置３４に通知し，宅内統合制御装置３４は，ホームネットワーク・表示／制御ターミナル３１が泥棒の進入の可能性を表示すると共に，電力モニタコントロール・インターフェース３８の管理下にある照明１１を点灯すると共にテレビの電源をオンにするものであり，上述したように，宅内セキュリティ・インターフェース３７及び電力モニタコントロール・インターフェース３８はコントローラを有するとともに宅内ネットワークのバス４０を介して通じているから，「コントローラは，他の設備系ネットワークのコントローラから宅内ネットワークを通じて伝送される外出モード時において戸や窓が開いたことに応じて自己の管理下にある住宅設備の内で予め決められた住宅設備の制御又は監視を行うもの」であるとともに，「外出モード時において，戸や窓が開いたと判定した場合には，その旨を宅内ネットワークを通じて伝送するコントローラで構成されるセキュリテイシステムを含む」ものである。　
　
・図４には，宅内セキュリティ・ネットワーク３２を構成する複数の戸締りセンサ７が示されている。　
　
・段落【００４１】〜【００４３】の記載からみて，「ホームネットワーク・表示／制御ターミナル３１は宅内ネットワークを通じてデータ通信を行う通信手段を備えること」は明らかである。　
 　
　これらの記載事項及び図示内容を総合すると，上記引用例１には，以下の発明（以下，「引用発明」という。）が記載されていると認められる。　
「宅内に設置されたコントローラが設備系のモニタリングや制御並びに戸締まり状況の収集を行う複数の設備系ネットワーク３２，３３と，各設備系ネットワーク３２，３３のコントローラとバス４０を介して接続される宅内統合制御装置３４と，該宅内統合制御装置３４にバス４０を介して接続されるホームネットワーク・表示／制御ターミナル３１とが宅内ネットワークを形成し，前記宅内から離れた遠隔地に設置され前記宅内ネットワークと異なるインターネット６を通じて前記宅内ネットワークと接続される基地局３６と，当該基地局３６との間でデータ通信を行う携帯電話３９とを備え，　
　前記ホームネットワーク・表示／制御ターミナル３１は，前記各設備系ネットワーク３２，３３に対応したインターネット・パケット・アドレスを指示して，各設備系ネットワーク３２，３３のホームページを表示するとともに状態表示や状態制御を行い，　
　前記コントローラは，他の設備系ネットワークのコントローラから宅内ネットワークを通じて伝送される外出モード時において戸や窓が開いたことに応じて自己の管理下にある住宅設備のうちで予め決められた住宅設備の制御又は監視を行うものであって，　
　設備系ネットワークである宅内セキュリティ・ネットワーク３２には，宅内における戸締まり状況を収集する複数の戸締りセンサ７と，各戸締りセンサ７の検出信号を収集するとともに，外出モード時において戸や窓が開いたと判定した場合には，その旨を前記宅内ネットワークを通じて伝送する前記コントローラで構成されるセキュリテイシステムを含むとともに，　
　前記携帯電話３９はインターネット６を通じてデータ通信を行う通信手段を，備え，　
　前記宅内ネットワークを通じてデータ通信を行う通信手段と，宅内の設備系ネットワーク３２，３３に対応したインターネット・パケット・アドレスを指示して，各設備系ネットワーク３２，３３のホームページを表示するとともに状態表示や状態制御を行う前記ホームネットワーク・表示／制御ターミナル３１を備える，　
　ホームネットワーク。」　
             　
　原査定の拒絶の理由で引用された特開２００５−２０８８７８号公報（以下，「引用例２」という。）には，「セキュリティシステム」に関し，図面とともに次の事項が記載されている。　
　
・「【請求項１】　
　検出対象の挙動に応じて検出信号を送信する一または複数の異常検出センサと，　
　検出対象の映像信号を送信する一または複数の監視カメラと，　
　前記異常検出センサおよび前記監視カメラと接続されて信号を伝える宅内ネットワークと，　
　Ｗｅｂサーバ機能を有し，前記宅内ネットワークを介して送信される前記異常検出センサからの検出信号および前記監視カメラからの映像信号に応じて異常を検出し，外部のネットワークを介して外部端末へ異常報知を行う監視サーバシステムと，　
　を備えることを特徴とするセキュリティシステム。　
【請求項２】　
　請求項１記載のセキュリティシステムにおいて，　
　前記異常検出センサは，赤外線により人の有無を検出して検出信号を発信する人感センサ，ドアの開閉または破壊に応じて検出信号を発信するドアセンサ，および，窓の開閉または破壊に応じて検出信号を発信する窓センサであることを特徴とするセキュリティシステム。」　
　
・「【請求項１１】　
　請求項１〜請求項１０の何れか一項に記載のセキュリティシステムにおいて，
　前記異常検出センサが感応した場合に警報を発する警報装置を備えることを特徴とするセキュリティシステム。　
【請求項１２】　
　請求項１１に記載のセキュリティシステムにおいて，　
　前記警報装置は，不法侵入者へ威嚇警報を行うスピーカ又は回転灯であることを特徴とするセキュリティシステム。」　
　
・「 【０００１】　
　本発明は，一般住宅，事務所または小規模事業所で使用されるセキュリティシステムに関する。」
　
・「【００２１】　
　異常検出センサ１０は，検出対象の挙動に応じて所定の閾値を超えた場合に検出信号を送信するセンサであって，詳しくは，赤外線により人の有無を検出して検出信号を発信する人感センサ１１，ドアの開閉または破壊に応じて検出信号を発信するドアセンサ１２，および，窓の開閉または破壊に応じて検出信号を発信する窓センサ１３を備えている。　
【００２２】　
　監視カメラ２０は検出対象の映像信号を送信するカメラであって，送信のために無線ＬＡＮ２１が接続されている。この無線ＬＡＮ２１は監視サーバシステム４０のホームサーバ４２と双方向で直接無線通信する。　
　宅内ネットワーク３０は，詳しくは幹線ネットワーク３１，支線ネットワーク３２を備える。この宅内ネットワーク３０では，幹線ネットワーク３１に対し，支線ネットワーク３２を介して異常検出センサ１０がバス型で複数接続され，監視サーバシステム４０と通信する。この幹線ネットワーク３１は具体的には一線式バス・システムによるＬＡＮ回線であり，ホームサーバ４２はプロトコル変換器として機能し，宅内ネットワーク３０で利用されているＭｉｃｒｏＬＡＮ （以下，本明細書中ではマイクロＬＡＮと記載する）方式の通信プロトコルと，ネットワーク５０で用いられるＴＣＰ／ＩＰ等インターネット用の通信プロトコルとを相互に変換する。　
【００２３】　
　ここにマイクロＬＡＮとは，ダラス・セミコンダクタ社が開発した一線式バス・システムである。グランド線と信号線を含むケーブルである幹線ネットワーク３１に異常検出センサ１０を接続して，計測・監視制御を行えるようにしたシステムである。双方向データ通信と電源の供給とが一本の信号線で行えるため，従来方式に比べて配線を容易に行うことができる。このようなバス型のネットワークでは，宅内の中央に幹線ネットワーク３１を配線し，適宜支線を引き出して支線ネットワーク３２を構築できるため，省配線化が可能となる。　
【００２４】　
　監視サーバシステム４０は，Ｗｅｂサーバ機能を有し，宅内ネットワーク３０を介して送信される異常検出センサ１０からの検出信号，および監視カメラ２０から無線ＬＡＮ２１を介して送信される映像信号に応じて異常を検出し，外部のネットワーク５０を介して外部端末６０へ異常報知を行うものであり，詳しくはブロードバンドモデム４１，ホームサーバ（Ｗｅｂサーバ）４２，パソコン４３を備える。なお，異常の検出については後述する。　
【００２５】　
　ネットワーク５０は，インターネットによる通信が可能なネットワークである。　
　外部端末６０は，各種端末を採用できるが，例えばパソコン６１，携帯電話器６２などであり，これらはネットワーク５０により接続されて通信可能となっている。また外部端末６０として，図示しない電話器も含まれており，図示しない公衆回線により接続されて通信可能となっている。　
　外部端末６０と監視サーバシステム４０とが通信し，管理者または警察・警備会社等の関係機関の監視員が異常報知がされたことを外部端末６０により認識することができる。　
【００２６】　
　このようなセキュリティシステム１００では，異常検出センサ１０から監視サーバシステム４０へ検出信号を送信するようになされ，監視サーバシステム４０はこの検出信号に応じて各種の処理を行う。また，監視カメラ２０から監視サーバシステム４０へ映像信号を送信するようになされ，監視サーバシステム４０はこの映像信号に応じて各種の処理を行う。　
【００２７】
　また，外部端末６０と監視サーバシステム４０とは双方向で通信可能となっている。また，外部端末６０が監視サーバシステム４０へ監視カメラ２０の操作信号を送信すると，監視サーバシステム４０はこの操作信号に応じた制御信号を監視カメラ２０へ送信し，操作後の監視カメラ２０による映像信号を受信できるようになされている。また，宅内に設置した異常検出センサ１０の状態や，図示しないがオプションとして接続された制御対象機器(家電等)の動作状態を，ネットワーク５０を経由して外部端末６０で確認することができる。また，管理サーバシステム４０のパソコン４３やインターネット経由でＰＣ外部端末６０のパソコン６１や携帯電話器６２からでも上記の各種機能の設定を行うことができる。」　
　
・「【００３４】　
　このような場合，管理者・担当者は外部端末６０を操作し，外部端末６０は操作信号を出力する。この操作信号を受けて監視サーバシステム４０は，宅内(または宅周辺の屋外)に設置された監視カメラ２０からの映像信号をネットワーク５０を介して外部端末６０へ転送し，映像により宅内を閲覧して確認できる。なお，この閲覧に際しては利用者本人認証(パスワード)機能で保護する。　
　さらに，外部端末６０から出力された操作信号に応じて，監視サーバシステム４０は，監視カメラの撮影位置を移動させる制御信号を監視カメラ２０へ送信するようにしても良い。　
　これにより，宅内の所望の位置の状態（もしくは侵入者）を目視確認することができ，可能であれば，併せて，パソコン６１，携帯電話器６２で映像を動画データまたは画像データとして保存することで，後に警察への証拠として提出することも可能である。　
【００３５】　
　続いて，このようなセキュリティシステムでは各種の変形形態が可能であり，これら変形形態について説明する。　
　図２（ａ）では，宅内ネットワーク３０としてマイクロＬＡＮ３３およびＬＡＮ３４を用いている。また，監視サーバシステム４０ではルータおよびハブ機能を有する接続装置４４を介してシステム構成している。」　
　
・【００３９】
　また，セキュリティシステムでは，さらに異常検出センサ１０が感応した場合に警報を発する警報装置（図示せず）を備えるようにしても良い。この警報装置は，例えば，不法侵入者へ威嚇警報を行うスピーカ又は回転灯である。この警報装置は，前記した異常検出センサ１０に内蔵され，例えば，異常検出センサ１０から検出信号が出力された場合，監視サーバシステム４０が特定した異常検出センサ１０が内蔵する警報装置を動作させる制御信号を出力して，警報装置を動作させる。この威嚇により侵入者が退散すれば，防犯効果も奏しうる。発報方法は発報ユニットのバリエーション(ブザー，音声，音楽等)から選択可能である。」　
　
　原査定の拒絶の理由で引用された特開２００４−６２６９０号公報（以下，「引用例３」という。）には，「監視用センサ装置」に関し，図面とともに次の事項が記載されている。　
・「【０００１】　
【発明の属する技術分野】　
本発明は，あらゆる場所に設置し，あらゆる用途に使用可能な監視用センサ装置に関する。　
【０００２】　
【従来の技術】　
従来，家屋等の侵入者監視システム等においては，検出情報を電話回線や警備会社を介してクライアントに連絡するようにしていた。また，検出手段とその接続手段とは有線で接続されていた。」　　
　
・「【００２３】　
また，図１に記載の実施例の場合，監視用センサ本体１０には，クライアント６がサーバ手段４を介して操作可能な警告等操作手段８を設けてあり，クライアント６は，認証後に，監視用センサ本体１０の外付け端子により外部に設置した音声発生手段，デジタルカメラ等の映像記録手段，蛍光塗料発射等のマーキング手段等からなる警告等操作手段８を遠隔操作することができる。　
また，図３に記載の実施例の場合，監視用センサ本体１０には，グローバルＩＰアドレスを保有するサーバ手段４が内蔵して設けてあるので，グローバルＩＰアドレスを取得するのを省いて随時かつ直接にインターネット５に接続できると共に，常時，インターネット５に接続することも可能である。
なお，本発明においてクライアント６は，クライアントの携帯するＥメール通信機能を有する携帯電話，パソコン等を含むことは勿論である。」　　
　
３．発明の対比　
　本願発明と引用発明とを対比すると，後者の「宅内」は前者の「住宅内」又は「住宅」に相当し，以下同様に，「設備系」は「住宅設備」に，「モニタリングや制御並びに戸締まりの状況の収集」は「制御並びに監視」に，「設備系ネットワーク３２，３３」は「サブシステム」に，「バス４０」は「伝送路」に，「宅内統合制御装置３４」は「統合管理装置」に，「ホームネットワーク・表示／制御ターミナル３１」は「端末装置」に，「形成し」は「構成し」に，「インターネット６」は「外部ネットワーク」に，「携帯電話３９」は「携帯型の端末装置」に，「管理下」は「配下」に，「戸締りセンサ７」は「セキュリティ機器」に，「ホームネットワーク」は「住宅設備監視制御システム」にそれぞれ相当する。　
　また，後者の「宅内に設置されたコントローラが設備系のモニタリングや制御並びに戸締まり状況の収集を行う複数の設備系ネットワーク３２，３３と，各設備系ネットワーク３２，３３のコントローラとバス４０を介して接続される宅内統合制御装置３４と，該宅内統合制御装置３４にバス４０を介して接続されるホームネットワーク・表示／制御ターミナル３１とが宅内ネットワークを形成し，前記宅内から離れた遠隔地に設置され前記宅内ネットワークと異なるインターネット６を通じて前記宅内ネットワークと接続される基地局３６と，当該基地局３６との間でデータ通信を行う携帯電話３９とを備え」る態様と，前者の「住宅内に設置されたコントローラが住宅設備の制御並びに監視を行う複数のサブシステムと，各サブシステムのコントローラと伝送路を介して接続される統合管理装置と，該統合管理装置に伝送路を介して接続される複数の端末装置と，監視領域を撮像する撮像装置とが汎用の通信プロトコルを利用した宅内ネットワークを構成し，前記住宅から離れた遠隔地に設置され前記宅内ネットワークと異なる外部ネットワークを通じて前記宅内ネットワークと接続されるセンタ装置と，当該センタ装置との間でデータ通信を行う携帯型の端末装置とを備え」る態様とは，「住宅内に設置されたコントローラが住宅設備の制御並びに監視を行う複数のサブシステムと，各サブシステムのコントローラと伝送路を介して接続される統合管理装置と，該統合管理装置に伝送路を介して接続される端末装置とが宅内ネットワークを構成し，前記住宅から離れた遠隔地に設置され前記宅内ネットワークと異なる外部ネットワークを通じて前記宅内ネットワークと接続される装置と，当該装置との間でデータ通信を行う携帯型の端末装置とを備え」る概念において共通する。
　次に，後者において「各設備系ネットワーク３２，３３に対応したインターネット・パケット・アドレスを指示して，各設備系ネットワーク３２，３３のホームページを表示するとともに状態表示や状態制御を行う」ためには，何らかの要求メッセージが伝送されると共にそれに対する応答メッセージが伝送されることは明らかであり，後者の「ホームネットワーク・表示／制御ターミナル３１は，各設備系ネットワーク３２，３３に対応したインターネット・パケット・アドレスを指示して，各設備系ネットワーク３２，３３のホームページを表示するとともに状態表示や状態制御を行」う態様と，前者の「端末装置から宅内ネットワーク若しくは外部ネットワークを通じて伝送される要求メッセージに基づいて各サブシステムのコントローラが住宅設備の制御並びに監視を行うとともに当該制御又は監視の結果を示す応答メッセージが当該コントローラから前記端末装置に対して前記宅内ネットワーク若しくは外部ネットワークを通じて伝送され，且つ撮像装置で撮像された画像が前記端末装置に対して前記宅内ネットワーク若しくは外部ネットワークを通じて伝送されてな」る態様とは，「端末装置から宅内ネットワークを通じて伝送される要求メッセージに基づいて各サブシステムのコントローラが住宅設備の制御並びに監視を行うとともに当該制御又は監視の結果を示す応答メッセージが当該コントローラから前記端末装置に対して前記宅内ネットワークを通じて伝送され」る概念において共通する。　
　そして，後者の「コントローラは，他の設備系ネットワークのコントローラから宅内ネットワークを通じて伝送される外出モード時において戸や窓が開いたことに応じて自己の管理下にある住宅設備のうちで予め決められた住宅設備の制御又は監視を行う」態様と，前者の「コントローラは，他のサブシステムのコントローラから宅内ネットワークを通じて伝送される応答メッセージに応じて，自己の配下にある住宅設備のうちで予め決められた住宅設備の制御又は監視を行う」態様とは，「コントローラは，他のサブシステムのコントローラから宅内ネットワークを通じて伝送される応答メッセージに応じて，自己の配下にある住宅設備のうちで予め決められた住宅設備の制御又は監視を行う」概念で共通する。　
　また，後者の「設備系ネットワークである宅内セキュリティ・ネットワーク３２には，宅内における戸締まり状況を収集する複数の戸締りセンサ７と，各戸締りセンサ７の検出信号を収集するとともに，外出モード時において戸や窓が開いたと判定した場合には，その旨を宅内ネットワークを通じて伝送するコントローラで構成されるセキュリテイシステムを含む」態様と，前者の「サブシステムには，住宅内における異常発生を検知する１乃至複数種類のセキュリティ機器と，各セキュリティ機器の検知情報を収集するとともに所定の異常発生に関する検知情報を受け取ったときに警報音を鳴動する受信器と，当該受信器より前記検知情報を受け取るとともに受け取った当該検知情報を応答メッセージにより宅内ネットワークを通じて伝送するコントローラとで構成されるセキュリティシステムを含む」態様とは，「サブシステムには，住宅内おける異常発生を検知する１種類のセキュリティ機器と，各セキュリティ機器の検知情報を収集するとともに，受け取った所定の異常発生に関する検知情報を応答メッセージにより宅内ネットワークを通じて伝送するコントローラで構成されるセキュリテイシステムを含む」概念において共通する。　
　さらに，後者の「携帯電話３９はインターネット６を通じてデータ通信を行う通信手段を，備え，宅内ネットワークを通じてデータ通信を行う通信手段と，宅内の設備系ネットワーク３２，３３に対応したインターネット・パケット・アドレスを指示して，各設備系ネットワーク３２，３３のホームページを表示するとともに状態表示や状態制御を行うホームネットワーク・表示／制御ターミナル３１を備える」態様と，前者の「宅内ネットワーク若しくは外部ネットワークを通じてデータ通信を行う通信手段と，住宅設備の制御並びに監視の要求を受け付けるとともにセンタ装置に対する画像の伝送要求を受け付ける要求受付手段と，該要求受付手段が受け付けた制御要求や監視要求や伝送要求に基づいて要求メッセージを作成し且つ当該要求メッセージを前記通信手段より前記宅内ネットワーク若しくは外部ネットワークを通じて伝送させるとともに前記通信手段で受け取った応答メッセージから住宅設備の制御や監視の結果を示す情報又は前記センタ装置が記録している前記画像若しくは撮像装置から配信される画像を取得する制御手段と，該制御手段が取得した前記情報を報知する報知手段と，前記通信手段で受け取った前記画像を表示する表示手段とを具備した端末装置を備え」る態様とは，「宅内ネットワーク若しくは外部ネットワークを通じてデータ通信を行う通信手段と，住宅設備の制御並びに監視の要求を受け付ける要求受付手段と，該要求受付手段が受け付けた制御要求や監視要求に基づいて要求メッセージを作成し且つ当該要求メッセージを前記通信手段より前記宅内ネットワークを通じて伝送させるとともに前記通信手段で受け取った応答メッセージから住宅設備の制御や監視の結果を示す情報を取得する制御手段と，該制御手段が取得した前記情報を報知する報知手段と，を具備した端末装置を備え」る概念において共通する。　
　そうすると，両者は，　
「住宅内に設置されたコントローラが住宅設備の制御並びに監視を行う複数のサブシステムと，各サブシステムのコントローラと伝送路を介して接続される統合管理装置と，該統合管理装置に伝送路を介して接続される端末装置とが宅内ネットワークを構成し，前記住宅から離れた遠隔地に設置され前記宅内ネットワークと異なる外部ネットワークを通じて前記宅内ネットワークと接続される装置と，当該装置との間でデータ通信を行う携帯型の端末装置とを備え，　
  前記端末装置から前記宅内ネットワークを通じて伝送される要求メッセージに基づいて前記各サブシステムのコントローラが住宅設備の制御並びに監視を行うとともに当該制御又は監視の結果を示す応答メッセージが当該コントローラから前記端末装置に対して前記宅内ネットワークを通じて伝送され，　
　前記コントローラは，他のサブシステムのコントローラから前記宅内ネットワークを通じて伝送される前記応答メッセージに応じて，自己の配下にある住宅設備のうちで予め決められた住宅設備の制御又は監視を行うものであって，　
　前記サブシステムには，住宅内おける異常発生を検知する１種類のセキュリティ機器と，各セキュリティ機器の検知情報を収集するとともに，受け取った所定の異常発生に関する検知情報を前記応答メッセージにより前記宅内ネットワークを通じて伝送する前記コントローラで構成されるセキュリテイシステムを含むとともに，　
　前記宅内ネットワーク若しくは外部ネットワークを通じてデータ通信を行う通信手段と，住宅設備の制御並びに監視の要求を受け付ける要求受付手段と，該要求受付手段が受け付けた制御要求や監視要求に基づいて要求メッセージを作成し且つ当該要求メッセージを前記通信手段より前記宅内ネットワークを通じて伝送させるとともに前記通信手段で受け取った応答メッセージから住宅設備の制御や監視の結果を示す情報を取得する制御手段と，該制御手段が取得した前記情報を報知する報知手段と，を具備した前記端末装置を備える，住宅設備監視制御システム。」　
の点で一致し，以下の各点で相違すると求められる。　
　
＜相違点１＞　
　宅内ネットワークを構成する端末装置が，本願発明では，「複数」あるのに対して，引用発明では「１つ」であり，宅内ネットワークは，本願発明では，「監視領域を撮像する撮像装置」を含むとともに「汎用の通信プロトコルを利用した」のに対して，引用発明では，そのような特定がされていない点。　
　
＜相違点２＞　
　本願発明では，「撮像装置で撮像された画像が端末装置に対して宅内ネットワーク若しくは外部ネットワークを通じて伝送されてな」るのに対して，引用発明では，そのような特定がなされていない点。　
　
＜相違点３＞　
　本願発明では，「撮像装置は，自ら撮像した画像を宅内ネットワーク経由で配信するウェブサーバ機能を有」するのに対して，引用発明では，そのような特定がなされていない点。　
　
＜相違点４＞　
　各セキュリティ機器の検知情報を収集するとともに，受け取った所定の異常発生に関する検知情報を応答メッセージにより宅内ネットワークを通じて伝送するコントローラに関して，本願発明では，「所定の異常発生に関する検知情報を受け取ったときに警報音を鳴動する受信器と，当該受信器より前記検知情報を受け取る」「コントローラ」であるのに対して，引用発明では，それ以上の特定がなされていない点　
　
＜相違点５＞　
　住宅から離れた遠隔地に設置され宅内ネットワークと異なる外部ネットワークを通じて前記宅内ネットワークと接続されるとともに，携帯型の端末装置との間でデータ通信を行う「装置」が，本願発明では，「センタ装置」であって，「外部ネットワークを通じてインターホンシステムのコントローラから受け取った画像を記録し」ているのに対して，引用発明では，基地局３６であるものの，それ以上の特定がなされていない点。　
　
＜相違点６＞　
　本願発明では，「住戸外に設置されるカメラ付きドアホン子器と，住戸内に設置されて前記カメラ付きドアホン子器との間で通話する機能並びに当該カメラ付きドアホン子器で撮像された画像を表示する機能を有するインターホン親機と，当該インターホン親機より前記カメラ付きドアホン子器で撮像された画像を受け取るとともに受け取った当該画像を外部ネットワークを通じてセンタ装置に伝送する前記コントローラとで構成されるインターホンシステムを含」むのに対して，引用発明では，そのような特定がなされていない点。　
　
＜相違点７＞　
　本願発明では，住宅設備の制御並びに監視の要求を受け付けるとともに「センタ装置に対する画像の伝送要求を受け付ける」要求受付手段と，該要求受付手段が受け付けた制御要求や監視要求や「伝送要求」に基づいて要求メッセージを作成し且つ当該要求メッセージを通信手段より宅内ネットワーク若しくは「外部ネットワーク」を通じて伝送させるとともに通信手段で受け取った応答メッセージから住宅設備の制御や監視の結果を示す情報又は「前記センタ装置が記録している前記画像若しくは撮像装置から配信される画像」を取得する制御手段と，該制御手段が取得した前記情報を報知する報知手段と，「前記通信手段で受け取った前記画像を表示する表示手段」とを具備した端末装置を備えるのに対して，引用発明では，宅内の設備系ネットワーク３２，３３に対応したインターネット・パケット・アドレスを指示して，各設備系ネットワーク３２，３３のホームページを表示するとともに状態表示や状態制御を行う前記ホームネットワーク・表示／制御ターミナル３１を備えるものの，それ以上のものでない点。　
　
＜相違点８＞　
　本願発明では，「セキュリティシステムのコントローラは，外部ネットワークを通じて端末装置から伝送される要求メッセージに応じて受信器に警報音を鳴動させる」のに対して，引用発明では，そのような特定はされていない点。　
　
４．相違点の検討・当審の判断　
＜相違点１，２，４について＞　
　上記引用例２には，宅内の所望の位置の検出対象の映像信号を送信する監視カメラ２０（監視領域を撮像する撮像装置）を含む宅内ネットワーク３０は，マイクロＬＡＮ，無線ＬＡＮ２１，ＬＡＮ３４（汎用の通信プロトコル）を利用するものであり，監視カメラ２０で撮像された映像信号（画像）が，無線ＬＡＮ２１又はＬＡＮ３４（宅内ネットワーク）により監視サーバシステム４０のパソコン４３（端末装置）に伝送され，ネットワーク５０（外部ネットワーク）によりパソコン６１や携帯電話器６２（携帯型の端末装置）に伝送されるものが開示されている。（特に，段落【００２２】〜【００２７】,【００３４】，【００３５】，図１，図２を参照のこと。）　
　また，上記引用例２においては，ルータ及びハブ機能を有する接続装置４４を介して監視サーバシステム４０を構成しており（段落【００３５】を参照のこと），宅内ネットワークを構成する端末装置を複数とすることは，設計的事項に過ぎず，格別のものとはいえない。　
　次に，上記引用例２には，異常検出センサ１０が感応した場合にブザー，音声，音楽等で威嚇警報を行う警報装置を，前記異常検出センサ１０に内蔵したセキュリテイシステムが記載されており（段落【００３９】を参照のこと），「所定の異常発生に関する検知情報を受け取ったときに警報音を鳴動する受信器と，当該受信器より前記検知情報を受け取る」ようにすることが開示されている。　
　そして，引用発明も上記引用例２に開示された事項も，いずれも携帯型の端末装置と通信可能な住宅設備監視システムに関するものであり，引用発明においても監視のために撮像装置を設けようとすることは極めて自然なことであるから，引用発明に上記引用例２に開示された事項を適用して，上記相違点１，２，４に係る本願発明の構成とすることは，当業者が容易に想到し得たものである。　
　
＜相違点３，５，６，７について＞　
　まず，住宅設備監視システムにおいて，「撮像装置は，自ら撮像した画像を宅内ネットワーク経由で配信するウェブサーバ機能を有すること」は，本願出願前に周知の技術（以下「周知技術１」という。）に過ぎない（必要があれば，特開２００４−１３５１９７号公報（以下「周知例１」という。）の段落【００６２】，図１，特開２００４−１３５２０２号公報（以下「周知例２」という。）の段落【０００９】，【００３１】，図１を参照のこと）。　
　また，同じく住宅設備監視システムにおいて，「住宅から離れた遠隔地に設置され宅内ネットワークと異なる外部ネットワークを通じて前記宅内ネットワークと接続されるセンタ装置と，当該センタ装置との間でデータ通信を行う携帯型の端末装置とを備え，」（必要があれば，上記周知例１の段落【００６２】〜【００６４】，【００８８】，上記周知例２の段落【００３１】，【００３２】，【００７５】を参照のこと。）「住戸外に設置されるカメラ付きドアホン子器と，住戸内に設置されて前記カメラ付きドアホン子器との間で通話する機能並びに当該カメラ付きドアホン子器で撮像された画像を表示する機能を有するインターホン親機と，当該インターホン親機より前記カメラ付きドアホン子器で撮像された画像を受け取るとともに受け取った当該画像を外部ネットワークを通じてセンタ装置に伝送する前記コントローラとで構成されるインターホンシステムを含み，前記センタ装置は，外部ネットワークを通じて前記インターホンシステムのコントローラから受け取った前記画像を記録し」（必要があれば，上記周知例１の【請求項１】，段落【００３４】〜【００３６】，【００６３】，【００６４】，【００８８】，上記周知例２の段落【００１３】，【００１４】，【００３２】，【００７５】を参照のこと。）「住宅設備の制御並びに監視の要求を受け付けるとともにセンタ装置に対する画像の伝送要求を受け付ける要求受付手段と，該要求受付手段が受け付けた制御要求や監視要求や伝送要求に基づいて要求メッセージを作成し且つ当該要求メッセージを前記通信手段より前記宅内ネットワーク若しくは外部ネットワークを通じて伝送させるとともに通信手段で受け取った応答メッセージから住宅設備の制御や監視の結果を示す情報又は前記センタ装置が記録している前記画像若しくは前記撮像装置から配信される画像を取得する制御手段と，該制御手段が取得した前記情報を報知する報知手段と，前記通信手段で受け取った前記画像を表示する表示手段とを具備した端末装置（携帯電話機）を備えること」は，本願出願前に周知の技術（以下「周知技術２」という。）に過ぎない。（必要があれば，上記周知例１の段落【００６３】，【００６４】，【００８８】，【０１０１】，【０１０２】，【０１２５】，上記周知例２の段落【００３２】，【００７５】を参照のこと。）　
　よって，携帯型の端末装置と通信可能な住宅設備監視システムとしての引用発明に，同じ技術分野の上記周知技術１，２を適用して，上記相違点３，５，６，７に係る本願発明の構成とすることは，当業者が容易に想到し得たことである。　
　
＜相違点８について＞　
　上記引用例３には，「家屋等の侵入者監視システム（セキュリティシステム）等に適用可能な監視用センサ本体１０であって，インターネット５（外部ネットワーク）を通じて携帯電話（端末装置）から監視用センサ本体１０に設置した音声発生手段等の警告等操作手段８（受信器）を遠隔操作すること」が開示されており（段落【０００２】，【００２３】を参照のこと），引用発明に上記引用例３に開示された事項を適用して，「セキュリティシステムのコントローラは，外部ネットワークを通して端末装置から伝送される要求メッセージに応じて受信器に警報音を鳴動させる」ものとして，上記相違点８に係る本願発明の構成とすることは，引用発明においても外出時に異常発生を検知した場合に，テレビや照明のスイッチを入れて侵入者等に警告を与えることが示唆されているから，当業者が容易に想到し得たものである。　
　
　そして，上記相違点１乃至８に係る構成を併せ備える本願発明の作用効果について検討しても，引用発明，上記引用例２，３に開示された事項，及び，上記周知技術１，２から予測される程度のものであって格別なものとはいえない。　
　
　したがって，本願発明は，引用発明，上記引用例２，３に開示された事項，及び，上記周知技術１，２に基づいて，当業者が容易に発明をすることができたものである。　
　
５．むすび　
　以上のとおりであるから，本願発明（請求項１に係る発明）は，引用発明，上記引用例２，３に開示された事項，及び，上記周知技術１，２に基づいて，当業者が容易に発明をすることができたものであるから，特許法第２９条第２項の規定により特許を受けることができない。　
　そうすると，このような特許を受けることができない発明を包含する本願は，本願の他の請求項について検討するまでもなく，拒絶されるべきものである。　
　よって，結論のとおり審決する。